(57)【要約】【課題】特に小型機器に用いられる有機ＥＬパネルにおいて、製造工程を煩雑化することなく表示の視認性を向上させることが可能な有機ＥＬパネルを提供する。【解決手段】透光性の支持基板２と、支持基板２上に形成された透光性の第一電極３と、第一電極３上に形成され少なくとも発光層を有する有機層４と、有機層４上に形成される第二電極５と、を備え、支持基板３側から発光表示像Ｌを出射してなる有機ＥＬパネル１である。支持基板２の第一電極３が形成されていない側の面に、発光表示像Ｌを拡大表示させる拡大レンズ部２ａを設けてなることを特徴とする。拡大レンズ部２ａは、凸レンズ状あるいはフレネルレンズ状に形成されてなる。【選択図】  図１
2010078666.tif 000002
【特許請求の範囲】
【請求項１】
透光性の支持基板と、前記支持基板上に形成された透光性の第一電極と、前記第一電極上に形成され少なくとも発光層を有する有機層と、前記有機層上に形成される第二電極と、を備え、前記支持基板側から発光表示像を出射してなる有機ＥＬパネルであって、
前記支持基板の前記第一電極が形成されていない側の面に、前記発光表示像を拡大表示させる拡大レンズ部を設けてなることを特徴とする有機ＥＬパネル。
【請求項２】
前記拡大レンズ部は、凸レンズ状であることを特徴とする請求項１に記載の有機ＥＬパネル。
【請求項３】
前記拡大レンズ部は、フレネルレンズ状であることを特徴とする請求項１に記載の有機ＥＬパネル。
【請求項４】
前記拡大レンズ部は、前記支持基板と一体的に形成されてなることを特徴とする請求項１に記載の有機ＥＬパネル。
【請求項５】
前記拡大レンズ部は、前記支持基板と別体に形成され、前記支持基板上に配設されてなることを特徴とする請求項１に記載の有機ＥＬパネル。
【発明の詳細な説明】
【技術分野】
【０００１】
本発明は、主に小型機器に用いられる有機ＥＬ（エレクトロルミネッセンス）パネルに関する。
【背景技術】
【０００２】
従来、有機材料によって形成される自発光素子である有機ＥＬ素子を備える有機ＥＬパネルは、例えば、陽極となるインジウム錫酸化物（ＩＴＯ）等からなる第一電極と、少なくとも有機発光層を有する機能層と、陰極となるアルミニウム（Ａｌ）等からなる非透光性の第二電極と、を順次積層するものが知られている（例えば、特許文献１参照）。
【０００３】
かかる有機ＥＬ素子は、前記第一電極から正孔を注入し、また、第二電極から電子を注入して正孔及び電子が前記発光層にて再結合することによって光を発するものである。有機ＥＬパネルを用いたディスプレイは、視認性や低温環境下での応答性に優れているため表示の瞬間判読が必要な車両用計器などの表示装置に適用されることが望まれている。
【０００４】
また、有機ＥＬパネルはバックライトが不要であることから液晶表示パネルに比べて薄型化が可能であるため、近年携帯電話のサブディスプレイなど小型製品への搭載が積極的に検討されている。小型製品へ搭載される有機ＥＬパネルは更なる小型化及び高精細化が望まれているが、パネルサイズが小さくなると所定情報を示す発光表示像が小さくなり、視認性に劣るという問題点がある。
【特許文献１】特開昭５９−１９４３９３号公報
【特許文献２】実用新案登録第３０８１５８６号公報
【発明の開示】
【発明が解決しようとする課題】
【０００５】
小型の表示装置において、表示の視認性を向上させる方法としては、特許文献２に開示されるように液晶表示パネル等の発光表示像を出射する表示パネルの前方に拡大レンズを配置する構成が知られている。しかしながら、かかる方法においては、表示パネルと拡大レンズとの位置合わせに高い精度が必要であり、製造工程が煩雑となるという問題点があった。
【０００６】
本発明は、この問題に鑑みなされたものであり、特に小型機器に用いられる有機ＥＬパネルにおいて、製造工程を煩雑化することなく表示の視認性を向上させることが可能な有機ＥＬパネルを提供することを目的とするものである。
【課題を解決するための手段】
【０００７】
本発明は、前記課題を解決するために、透光性の支持基板と、前記支持基板上に形成された透光性の第一電極と、前記第一電極上に形成され少なくとも発光層を有する有機層と、前記有機層上に形成される第二電極と、を備え、前記支持基板側から発光表示像を出射してなる有機ＥＬパネルであって、前記支持基板の前記第一電極が形成されていない側の面に、前記発光表示像を拡大表示させる拡大レンズ部を設けてなることを特徴とする。
【０００８】
また、前記拡大レンズ部は、凸レンズ状であることを特徴とする。
【０００９】
また、前記拡大レンズ部は、フレネルレンズ状であることを特徴とする。
【００１０】
また、前記拡大レンズ部は、前記支持基板と一体的に形成されてなることを特徴とする。
【００１１】
また、前記拡大レンズ部は、前記支持基板と別体に形成され、前記支持基板上に配設されてなることを特徴とする。
【発明の効果】
【００１２】
本発明は、特に小型機器に用いられる有機ＥＬパネルに関し、製造工程を煩雑化することなく表示の視認性を向上させることが可能となるものである。
【発明を実施するための最良の形態】
【００１３】
以下、本発明の第一の実施形態について添付図面に基づいて説明する。
【００１４】
有機ＥＬパネル１は、支持基板２と、第一電極３と、有機層４と、第二電極５と、封止基板６と、吸湿部材７と、を備えている。
【００１５】
支持基板２は、長方形形状からなり、透光性のガラス基板によって形成されている。
【００１６】
第一電極３は、有機層４に正孔を注入する陽極となるものであり、支持基板１上にインジウム錫酸化物（ＩＴＯ）やインジウム亜鉛酸化物（ＩＺＯ）あるいは酸化亜鉛（ＺｎＯ）等の透光性導電材料をスパッタリング法等の手段によって層状に形成してなり、フォトエッチング等の手段によって所定の形状にパターニングされる。
【００１７】
有機層４は、少なくとも正孔及び電子の再結合によって光を発する発光層を有するものであれば良いが、本発明の実施形態においては正孔注入層，正孔輸送層，発光層及び電子輸送層を順次積層して形成してなるものである。
【００１８】
第二電極５は、有機層４に電子を注入する陰極となるものであり、有機層４上に例えばＡｌ等の低抵抗の導電材料を蒸着法等の手段によって層状に形成してなる反射電極である。
【００１９】
以上のように、支持基板２上に前述した第一電極３と有機層４と第二電極５とを順次積層し積層体を形成することによって有機ＥＬ素子が設けられる。
【００２０】
封止基板６は、ガラス材料から構成されるもので、本実施形態においては凹形状となるように形成される。封止基板６は、前記有機ＥＬ素子との対向面６ａに吸湿部材７が塗布されている。また、封止基板６は、周辺部６ｂが紫外線硬化型の接着剤８を介して支持基板２と接着固定され、前記有機ＥＬ素子を気密的に収納する収納空間を構成する。
【００２１】
吸湿部材７は、支持基板２上に配設された封止基板６の前記有機ＥＬ素子との対向面６ａに配設され、前記収納空間内及び前記有機ＥＬ素子に含まれる水分を吸着するものである。吸湿部材７としては、たとえば活性アルミナ，モレキュラーシーブス，酸化カルシウム及び酸化バリウムなどの物理的あるいは化学的に水分を吸着する吸着剤と、耐熱温度が１５０℃以上で含水率が０．５％以下のシリコーンゴムからなりその平均粒径が５μｍ程度の球体からなる樹脂微粒子と、をフッ素系オイルからなる不活性液体中に混合してなるものが用いられ、吸着剤が流動しない程度の粘性（例えば５０，０００ｃｐ）を有するクリーム状部材であることが好ましい。吸湿部材７は、封止基板６を支持基板２上に配設した際に対向面６ａに塗布される吸湿部材７が前記有機ＥＬ素子に当接しないように薄く均一的に形成される。
【００２２】
以上の各部により有機ＥＬパネル１が構成されている。有機ＥＬパネル１は、前記有機ＥＬ素子から発せられる光を所定の形状からなる発光表示像Ｌとして支持基板２から出射する。
【００２３】
ここで、支持基板２の第一電極３が形成されない側の面、すなわち発光表示像Ｌの出射面には、拡大レンズ部２ａが一体的に形成されている。拡大レンズ部２ａは、エッチングや切削等の手段によって凸レンズ状に形成されるものである。したがって、発光表示像Ｌは拡大レンズ部２ａで拡散され、利用者からは拡大して視認される。発光表示像Ｌを拡大して表示することにより、有機ＥＬパネル１の表示の視認性が向上する。また、拡大レンズ部２ａを支持基板２と一体的に構成することにより、拡大レンズ部２ａと有機ＥＬパネル１とには高い精度の位置合わせが不要となるため、構成が簡素化され製造工程が煩雑化することがなく製造可能である。
【００２４】
図２は、本発明の第二の実施形態を示す図である。なお、前述の第一の実施形態と同一あるいは相当個所には同一符号を付してその詳細な説明は省略する。
【００２５】
本第二の実施形態が前述の第一の実施形態と異なる点は、支持基板２の第一電極３が形成されない面側に設けられる凸レンズ状の拡大レンズ部２ｂが支持基板２と別体に形成される点である。
【００２６】
拡大レンズ部２ｂは、支持基板２と同等のガラス材料から形成され、発光表示像Ｌの出射面側が凸レンズ状に形成されるものである。拡大レンズ部２ｂは接着剤９を介して支持基板２に配設固定される。かかる構成においても、拡大レンズ部２ｂによって発光表示像Ｌが拡大表示され、有機ＥＬパネル１の表示の視認性を向上させることができる。また、支持基板２上に直接拡大レンズ部２ｂを固定するため、表示パネル前方に拡大レンズを配置する方法と比較して位置合わせが容易であり、構成が簡素化され製造工程が煩雑化することなく製造可能である。
【００２７】
図３は、本発明の第三の実施形態を示す図である。なお、前述の第一，第二の実施形態と同一あるいは相当個所には同一符号を付してその詳細な説明は省略する。
【００２８】
本第三の実施形態が前述の第一，第二の実施形態と異なる点は、支持基板２の第一電極３が形成されない面側にフレネルレンズ状の拡大レンズ部２ｃが支持基板２と一体的に形成されている点である。
【００２９】
拡大レンズ部２ｃは、エッチングや切削等の手段によってフレネルレンズ状に形成されるものである。したがって、発光表示像Ｌは拡大レンズ部２ａで拡散され、利用者からは拡大して視認される。発光表示像Ｌを拡大して表示することにより、有機ＥＬパネル１の表示の視認性が向上する。また、拡大レンズ部２ａを支持基板２と一体的に構成することにより、拡大レンズ部２ａと有機ＥＬパネル１とには高い精度の位置合わせが不要となるため、構成が簡素化され製造工程が煩雑化することがなく製造可能である。また、拡大レンズ部２ｃをフレネルレンズ状に形成することによって、拡大レンズ部２ｃを平面とすることができ、表示の視認性を向上させる効果を得つつ有機ＥＬパネル１の薄型化が可能である。
【００３０】
図４は、本発明の第四の実施形態を示す図である。なお、前述の第一〜第三の実施形態と同一あるいは相当個所には同一符号を付してその詳細な説明は省略する。
【００３１】
本第四の実施形態が前述の第一〜第三の実施形態と異なる点は、支持基板２の第一電極３が形成されない面側に設けられるフレネルレンズ状の拡大レンズ部２ｄが支持基板２と別体に形成される点である。
【００３２】
拡大レンズ部２ｂは、支持基板２と同等のガラス材料から形成され、発光表示像Ｌの出射面側がフレネルレンズ状に形成されるものである。拡大レンズ部２ｄは接着剤９を介して支持基板２に配設固定される。かかる構成においても、拡大レンズ部２ｄによって発光表示像Ｌが拡大表示され、有機ＥＬパネル１の表示の視認性を向上させることができる。また、支持基板２上に直接拡大レンズ部２ｄを固定するため、表示パネル前方に拡大レンズを配置する方法と比較して位置合わせが容易であり、構成が簡素化され製造工程が煩雑化することなく製造可能である。また、拡大レンズ部２ｄをフレネルレンズ状に形成することによって、拡大レンズ部２ｄを平面とすることができ、表示の視認性を向上させる効果を得つつ有機ＥＬパネル１の薄型化が可能である。
【図面の簡単な説明】
【００３３】
【図１】本発明の第一の実施形態である有機ＥＬパネルを示す図。
【図２】本発明の第二の実施形態である有機ＥＬパネルを示す図。
【図３】本発明の第三の実施形態である有機ＥＬパネルを示す図。
【図４】本発明の第四の実施形態である有機ＥＬパネルを示す図。
【符号の説明】
【００３４】
１  有機ＥＬパネル
２  支持基板
２ａ〜２ｄ  拡大レンズ部
３  第一電極
４  有機層
５  第二電極
６  封止基板
７  吸湿部材
８  接着剤
９  接着剤
【図１】
2010078666.tif 000003
【図２】
2010078666.tif 000004
【図３】
2010078666.tif 000005
【図４】
2010078666.tif 000006